(57)【要約】【課題】例えば自発的にホスト装置に対してデータ送信することがないＩＣカードのような携帯型情報処理装置側に、ホスト装置に対して送信する必要のある送信データがある場合、ホスト装置からのデータ読み出し指示がなくても、携帯型情報処理装置が保持するデータをホスト装置へ送信すること。【解決手段】入力操作部１５の操作でホスト装置２００へ送信する送信データの入力を受け付け、受け付けた送信データを一時記録部１７ｂに保存するステップＳ１０２と、ホスト装置２００との無線通信時においてホスト装置２００から受けた接続要求信号に対する応答として接続応答信号を返すとき、一時記録部１７ｂに保存されている送信データがあるか否かを判定するステップＳ１０４と、送信データが保存されている場合に、送信データを接続応答信号の空きビットに割り付けて、接続応答信号をホスト装置２００に送信するステップＳ１０６と、を有する。【選択図】図６
2009217673.tif 000002
【特許請求の範囲】
【請求項１】
ホスト装置と相互に無線通信を行う携帯型情報処理装置において、
前記ホスト装置から送信された表示データを表示する表示部と、
入力操作を受け付ける入力操作部と、
特定の入力操作に対応したデータであって前記ホスト装置へ送信する送信データを記憶する一時記憶部と、
前記ホスト装置との無線通信時において、前記ホスト装置から受けた接続要求信号に対する応答として接続応答信号をホスト装置に返すとき、前記一時記憶部に保存されている送信データがあれば、その送信データを前記接続応答信号の空きビットに割り付けて、接続応答信号をホスト装置に送信する通信制御部と、を有することを特徴とする携帯型情報処理装置。
【請求項２】
前記特定の入力操作は、前記入力操作部に装備された複数個の操作ボタンによる操作であって、予め携帯型情報処理装置に記憶させた所定の操作であることを特徴とする請求項１に記載の携帯型情報処理装置。
【請求項３】
ホスト装置と相互に無線通信を行い、前記ホスト装置から送信された表示データを表示する携帯型情報処理装置の制御方法において、
入力操作部の操作でホスト装置へ送信する送信データの入力を受け付け、受け付けた送信データを一時記録部に保存するステップと、
前記ホスト装置との無線通信時において、前記ホスト装置から受けた接続要求信号に対する応答として接続応答信号をホスト装置に返すとき、前記一時記録部に保存されている送信データがあるか否かを判定するステップと、
前記送信データが保存されている場合に、前記送信データを前記接続応答信号の空きビットに割り付けて、接続応答信号をホスト装置に送信するステップと、を有することを特徴とする携帯型情報処理装置の制御方法。
【発明の詳細な説明】
【技術分野】
【０００１】
本発明は、ホスト装置と相互に無線通信を行う携帯型情報処理装置及びその制御方法に関する。
【背景技術】
【０００２】
近年、電磁界や電波などを用いた近距離（周波数帯によって数ｃｍ〜数ｍ）の無線通信によって、ＩＤ情報を埋め込んだタグとリーダ／ライタとの間で情報をやりとりするＲＦＩＤ（Radio Frequency Identification）技術が知られている。
特許文献１には、遊技機や遊技媒体貸出装置（台間機）などの遊技関連機器に関するデータを正確かつ迅速に更新して管理するため、ＲＦＩＤ技術を採用したデータ管理システムが記載されている。
【０００３】
特許文献２には、物品に管理情報を記録したＲＦＩＤタグを付すことにより、物品の貸出管理を自動的に行うことが可能で、物品管理の省力化を実現した物品貸出期限管理システムが記載されている。
【０００４】
また、特許文献３には、建物の出入口、部屋の出入口、及び保管棚にそれぞれリーダライタを備え、それぞれのリーダライタから読み取られたＩＤコードの論理性をチェックすることにより、保管棚の施開錠の制御と保管棚に収納されている物品持ち出しを管理する物品管理システムが記載されている。
【０００５】
そして、上述したカードシステムにおいては、リーダライタが電磁波を発生することにより、いわゆるＲＦ（Ｒａｄｉｏ Ｆｒｅｑｕｅｎｃｙ）フィールド（磁場）を形成し、リーダライタにＩＣカードが近づくと、ＩＣカードは、電磁誘導によって、電源の供給を受けるとともに、リーダライタとの間でデータ伝送を行う（具体的には、特許文献４参照）。
【０００６】
【特許文献１】特開２００１−２１２３４１号公報
【特許文献２】特開２００５−２９８１００号公報
【特許文献３】特開２００５−３０１３３１号公報
【特許文献４】特開２００７−１１４９５１号公報
【発明の開示】
【発明が解決しようとする課題】
【０００７】
上記特許文献４に記載の技術によれば、非接触式のＩＣカードに書き込まれている情報を読み出すには、リーダライタ（ホスト装置）が電磁波を発生してデータ読み出し指示をＩＣカードへ送信し、ＩＣカードはそれに対して応答を返すという手順で通信が行われる。
ＩＣカードは、リーダライタからの要求に応じるのみで、ＩＣカード側から自発的にホスト装置に対してデータ送信することがない。
【０００８】
このため、ＩＣカードからホスト装置に対して送信する必要のある送信データがある場合は、まずホスト装置からＩＣカードに対して接続要求が送信され、ＩＣカードがこれに応答を返すことによって接続が確立した後、再びホスト装置からデータ読み出し指示が送信されたときに、これに対する応答として送信データを送る、というステップをふまなければならない。つまり、ＩＣカードはホスト装置からのデータ読み出し指示を待って送信データを送る。このため、直接ＩＣカード側からホスト装置に対してデータを送信する場合に比べ、データ送信処理のスループットが低下する。
【０００９】
本発明は、上記課題を解決するためになされたものであって、例えば自発的にホスト装置に対してデータ送信することがないＩＣカードのような携帯型情報処理装置側に、ホスト装置に対して送信する必要のある送信データがある場合、ホスト装置からのデータ読み出し指示がなくても、携帯型情報処理装置が保持するデータをホスト装置へ送信することが可能な携帯型情報処理装置及び携帯型情報処理装置の制御方法を提供することを目的とする。
【課題を解決するための手段】
【００１０】
上記課題を解決することのできる本発明は、ホスト装置と相互に無線通信を行う携帯型情報処理装置において、
前記ホスト装置から送信された表示データを表示する表示部と、
入力操作を受け付ける入力操作部と、
特定の入力操作に対応したデータであって前記ホスト装置へ送信する送信データを記憶する一時記憶部と、
前記ホスト装置との無線通信時において、前記ホスト装置から受けた接続要求信号に対する応答として接続応答信号をホスト装置に返すとき、前記一時記憶部に保存されている送信データがあれば、その送信データを前記接続応答信号の空きビットに割り付けて、接続応答信号をホスト装置に送信する通信制御部と、を有することを特徴とする。
上記構成によれば、ホスト装置に送信すべきデータとして一時記憶部に保存した送信データは、ホスト装置からの表示データの無線通信時等にホスト装置から受けた接続要求信号に対する応答として接続応答信号をホスト装置に返すとき、接続応答信号の空きビットに割り付けてホスト装置に送信される。すなわち、ホスト装置への接続応答信号の空きビットを使って携帯型情報処理装置からホスト装置へデータ送信することで、送信データをホスト装置へ無線送信する。このため、ホスト装置からのデータ読み出し指示がなくても、携帯型情報処理装置が保持する送信データをホスト装置へ送信することが可能となる。
また、例えば、ＩＣカードのような携帯型情報処理装置に搭載されるハードウェア上の制限等で、本来はＩＣカード側からホスト装置へ無線通信の接続を新たに確立させることができないケースであっても、上記の接続応答信号の空きビットを利用したデータ送信であれば、ＩＣカード側からホスト装置へのデータ送信が可能になる。ＩＣカード上のハードウェア上の制限を解除するためにハードウェアのバージョンアップをせずに、ＩＣカード側からホスト装置へのデータ送信を可能にすることができ、ＩＣカードにおけるデータ送信性能を安価に向上させることができる。
【００１１】
また、本発明において、前記特定の入力操作は、前記入力操作部に装備された複数個の操作ボタンによる操作であって、予め携帯型情報処理装置に記憶させた所定の操作であることが好ましい。
上記構成によれば、特定の入力操作を複数個のボタン操作によって実現することができ、所定のボタン操作毎に対応させた送信データを予め保持しておくことができる。これにより、例えば、あるクイズに対する回答を複数種類保持しておいて、所定のボタン操作があると、そのボタン操作に対応する回答を送信データとして一時記憶部に記憶することができる。
【００１２】
また、上記課題を解決することのできる本発明は、ホスト装置と相互に無線通信を行い、前記ホスト装置から送信された表示データを表示する携帯型情報処理装置の制御方法において、
入力操作部の操作でホスト装置へ送信する送信データの入力を受け付け、受け付けた送信データを一時記録部に保存するステップと、
前記ホスト装置との無線通信時において、前記ホスト装置から受けた接続要求信号に対する応答として接続応答信号をホスト装置に返すとき、前記一時記録部に保存されている送信データがあるか否かを判定するステップと、
前記送信データが保存されている場合に、前記送信データを前記接続応答信号の空きビットに割り付けて、接続応答信号をホスト装置に送信するステップと、を有することを特徴とする。
上記構成によれば、ホスト装置への接続応答信号の空きビットを使って携帯型情報処理装置からホスト装置へデータ送信することができる。これにより、送信データをホスト装置へ無線送信する際に、ホスト装置からのデータ読み出し指示がなくても、携帯型情報処理装置が保持する送信データをホスト装置へ送信することが可能となる。
【発明を実施するための最良の形態】
【００１３】
以下、本発明に係る携帯型情報処理装置及びその制御方法の好適な実施の形態について、図面を参照して詳細に説明する。図１は本発明の携帯型情報処理装置の一実施形態であるＩＣカードにおける画像表示をホスト装置により制御するＩＣカードシステムの全体構成を示す図である。
【００１４】
図１に示したＩＣカードシステム３００は、ＩＣカード１０−１，１０−２と、これらのＩＣカード１０−１，１０−２と相互に無線通信して、これらのＩＣカード１０−１，１０−２に表示データを送るホスト装置２００とで構成されている。
【００１５】
ホスト装置２００は、具体的には、図１に示すように、通信ルータ２０−１，２０−２、制御装置３０−１，３０−２、ネットワーク４０、管理装置５０、およびユーザ端末装置６０−１，６０−２を備えている。ホスト装置２００は、ＩＣカード１０−１，１０−２との無線通信で得たカード固有のデータと、カード保有者の識別用データとを照合してＩＣカードの認証を行い、認証結果を示す表示画像のデータである表示データをＩＣカード１０−１，１０−２に送信する。
これに対して、ＩＣカード１０−１，１０−２は、ホスト装置２００から送信された表示データを、後述するＥＰＤパネル１１ａに表示する。
【００１６】
次に、ホスト装置２００の各構成部品について、その動作や機能を説明する。
通信ルータ２０−１，２０−２は、ループアンテナＡ１１〜Ａ１３およびループアンテナＡ２１〜Ａ２３を有し、通信対象となるＩＣカードが属している通信可能エリアに対応するループアンテナを用いてＩＣカード１０−１，１０−２との無線通信を実施し、更に、後述の管理装置５０から送信される表示データをＩＣカード１０−１，１０−２に送信する。
【００１７】
制御装置３０−１，３０−２は、通信ルータ２０−１，２０−２が受信したＩＣカード１０−１，１０−２からの情報を、ネットワーク４０を介して管理装置５０に送ったり、管理装置５０から送信された表示データを、通信対象のＩＣカード１０−１，１０−２に対応するコマンドに変換し、通信ルータ２０−１，２０−２を介して通信対象のＩＣカードに送信する。
【００１８】
ネットワーク４０は、例えば、ＬＡＮ（Local Area Network）またはインターネット等によって構成され、制御装置３０−１，３０−２、ユーザ端末装置６０−１，６０−２、および、管理装置５０を相互に接続し、これらの間で情報を伝送する。
【００１９】
管理装置５０は、各種のデータベースを保有している。例えば、カード識別情報データベースを保有しており、通信ルータ２０−１，２０−２が受信したＩＣカード１０−１，１０−２からの通信内容におけるカード固有のデータとカード識別情報データベースに格納しているカード保有者の識別用データとを照合してＩＣカード１０−１，１０−２の認証を行う。また、他のデータベースからその認証結果に応じたデータを抽出し、それらのデータを結合して結合データを作成したりする。
【００２０】
また、管理装置５０は、ＩＣカード１０−１，１０−２と相互に無線通信しているループアンテナの位置を特定する情報と、そのループアンテナを有する制御装置を特定する情報とを対応付けして格納する位置特定データベースを有している。したがって、例えば、ＩＣカード１０−１，１０−２を、テーマパーク等において場内の施設案内を表示する入場券として利用した場合に、ＩＣカード１０−１，１０−２と無線通信するループアンテナの位置を特定することで、ＩＣカード１０−１，１０−２の保有者の存在区域を検知し、通信対象のＩＣカード１０−１，１０−２に、より適切に施設情報を提供することができる。
【００２１】
ユーザ端末装置６０−１，６０−２は、例えば、ＩＣカード１０−１，１０−２がテーマパーク等において場内の施設案内を表示する入場券として利用される場合に、テーマパーク等の施設管理者が操作可能な端末で、管理装置５０に対して、所定の情報を所定のＩＣカードに対して送信する要求を行うことができる。
【００２２】
管理装置５０は、例えば、ユーザ端末装置６０−１，６０−２から特定のＩＣカードに対して所定の情報を送信する要求がなされた場合には、この位置特定データベースを参照して、通信対象のＩＣカードが属する通信エリアに対応するループアンテナおよび制御装置を特定し、通信対象のＩＣカードに対して情報を送信する。
【００２３】
管理装置５０が作成する結合データは、ＩＣカード１０−１，１０−２に備えられたＥＰＤパネル１１ａに表示する表示データを含み、通信ルータ２０−１，２０−２よりＩＣカード１０−１，１０−２に送信される表示データである。例えば、一部の表示データをＩＣカード１０−１，１０−２が出入りする区域や施設毎の要求等に応じて変更することにより、ＩＣカード１０−１，１０−２に表示させる画像を出入りする区域や施設毎に必要な認証画像に自動的に切り替えることができるようになっている。
従って、各種の区域や施設の受付等では、ＩＣカード１０−１，１０−２に表示している画像を視認することで、容易にそのＩＣカードの提示者の施設利用条件等を認証することができ、該当施設への出入り許可を視覚的に確認する認証カードとしても、利用することができる。
【００２４】
図２は、上記のＩＣカード１０−１，１０−２がテーマパークの場内案内を表示する入場券として利用される場合に、管理装置５０が作成した表示データによりＩＣカード１０−１，１０−２に表示される画像を例示したものである。
【００２５】
ここに例示した入場券は、場内案内の対象となっているテーマパークがアクアパークの場合を示したもので、場内の各区域や施設毎、あるいは更に細分した各エリアに、ＩＣカード１０−１，１０−２と相互に無線通信可能な通信ルータ２０−１，２０−２が配置されていて、ＩＣカード１０−１，１０−２を保有した入場者が各通信ルータ２０−１，２０−２により通信可能な範囲に入ると、自動的にＩＣカード１０−１，１０−２と通信ルータ２０−１，２０−２との間で相互に通信が実行され、管理装置５０が認証処理結果に応じて作成した表示データがＩＣカード１０−１，１０−２に送信されて、各ＩＣカード１０−１，１０−２に認証用の画像及び場内の施設案内の画像が表示される。
【００２６】
図２において、（ａ）は初期状態の時のＩＣカード１０−１，１０−２における表示画像であり、（ｂ）〜（ｆ）は既にアクアパークの入場券としての基本的な識別用データが登録されて、発券処理後のＩＣカード１０−１，１０−２における表示画像の例を示したものである。
【００２７】
図２（ｂ）に示した表示画像は、アクアパークの入場口等で発券された時の画像データで、画像表示するデータとしては、本テーマパークの名称Ｄ１と、購入した入場件種別（大人）Ｄ２、歓迎のメッセージＤ３等が表示されている。
【００２８】
図２（ｃ）は、カードを保有する入場者が入場口を通過してアクアパーク内に入場したときの画面で、発券時の画像Ｄ１，Ｄ２の他に、入場日時Ｄ４，入場時間Ｄ５，当日のイベント情報Ｄ６，Ｄ７などの画像が表示される。
図２（ｄ）は、カードを保有する入場者がラッコ飼育施設の周辺に移動したとき、そのエリアに送信されている表示データによる表示画面で、当日のイベント情報Ｄ６，Ｄ７が表示されて画面表示域の下側に、ラッコの餌付け時間などを示すそのエリア専用のサービス情報画像Ｄ８が、表示される。
【００２９】
サービス情報画像Ｄ８に表示される内容は、施設毎に専用の画像を表示させることができる。
図２（ｅ）は、入場者がレストランの付近に移動した時に、サービス情報画像Ｄ８に表示される内容が、レストランの割引クーポンに変更された状態を示している。
図２（ｆ）は、入場者がテーマパークの退場口に近づいた時に表示される画像を示している。入場券を返却する旨の画像Ｄ９と、来場のお礼のメッセージ画像Ｄ１０が表示される。
【００３０】
なお、本実施形態では、ＩＣカードは２枚とされ、制御装置および通信ルータはそれぞれ２台とされ、ループアンテナは３本ずつとされ、ユーザ端末装置は２台とされ、管理装置は１台とされているが、これ以外の数であってもよい。
【００３１】
図３は、図１に示すＩＣカード１０−１の外観構成を示す図である。
なお、ＩＣカード１０−１とＩＣカード１０−２は、同様の構成とされているので、以下では、ＩＣカード１０−１を例に挙げて説明を行う。
【００３２】
図３に示すように、ＩＣカード１０−１は、略長方形の薄型の形状を有する担体１００を有しており、ＩＣカード１０−１の表面（図３における奥行き方向の手前側の面）には、前述のホスト装置２００の通信ルータ２０−１，２０−２から送信された表示データを表示する表示部として、表示部であるＥＰＤ（Electrophoretic Display）パネル１１ａがはめ込まれている。そして、このＥＰＤパネル１１ａの下側（図３の上下方向の下側）には、後述する入力操作部１５を構成する３つの操作ボタン１５ａ〜１５ｃが配置されている。
【００３３】
図４は、ＩＣカード１０−１の構成例を示すブロック図である。
図４に示すように、ＩＣカード１０−１は、ＥＰＤパネル１１ａ（表示部）、ＳＲＡＭ（Static RAM）１１ｂ、表示制御回路１２、バッテリ１３、電源回路１４、入力操作部１５、表示制御ＭＣＵ１６、不揮発性メモリ（一時記憶部）１７、通信制御ＭＣＵ１８（通信制御部）、ＲＦ（Radio Frequency）回路１９、および、ループアンテナ１９ａを主要な構成要素としている。
なお、上記表示制御ＭＣＵ１６及び通信制御ＭＣＵ１８に表記の「ＭＣＵ」は、Main Control Unitを略記したものである。
【００３４】
ここで、ＥＰＤパネル１１ａは、透明な液体の中で浮動する微粒子を電界によって移動させることにより文字および図形等の表示を行うと共に、電源の供給を絶っても表示が継続する不揮発性の表示デバイスである。また、本実施の形態のＥＰＤパネル１１ａは、薄肉シート状の表示デバイスで、いわゆる電子ペーパーとも呼称されるものである。
【００３５】
ＳＲＡＭ１１ｂは、ＥＰＤパネル１１ａに表示する情報を一時的に格納するメモリである。より詳細には、ＥＰＤパネル１１ａは、例えば、横および縦がそれぞれ３５２×４５０画素から構成されており、ＳＲＡＭ１１ｂは、横および縦がそれぞれ３５２×４５０ビットの情報を格納可能な記憶容量を有しており、ＳＲＡＭ１１ｂに格納されている情報の各ビットに応じてＥＰＤパネル１１ａを構成する画素を黒または白の状態とすることにより、種々の情報を表示することができる。なお、この実施の形態では、ＳＲＡＭ１１ｂは、書き込みのみが可能なライトオンリ（Write Only）のメモリとして構成される。
【００３６】
表示制御回路１２は、ＥＰＤパネル１１ａに情報を表示する際の制御を行う回路であり、例えば、表示制御ＭＣＵ１６とＥＰＤパネル１１ａとの間の電圧の変換を行う制御を行う。また、表示制御回路１２は、電源回路１４から供給された電力をＳＲＡＭ１１ｂおよびＥＰＤパネル１１ａに供給する。
【００３７】
バッテリ１３は、例えば、リチウムイオン電池等によって構成され、電源回路１４に直流電力を供給する。電源回路１４は、バッテリ１３から供給される電源電圧を、所定の電圧に昇圧または降圧し、表示制御回路１２に供給する。なお、図４では、電源回路１４によって生成された電源電力は、表示制御回路１２のみに供給されているが、実際にはその他の部分にも供給されている。
【００３８】
入力操作部１５は、３つの操作ボタン１５ａ〜１５ｃと、図示せぬスイッチによって構成され、図３に示す操作ボタン１５ａ〜１５ｃがユーザによって操作された場合には、スイッチがオンまたはオフの状態になり、表示制御ＭＣＵ１６がスイッチの状態に基づいて操作ボタンが操作されたことを検出する。
本実施の形態の場合、操作ボタン１５ａ〜１５ｃが操作されると、ホスト装置２００に送信すべきデータが入力されたと表示制御ＭＣＵ１６により認識され、入力操作に対応するデータが、不揮発性メモリ１７に保存される。
【００３９】
不揮発性メモリ１７は、例えば、ＦｅＲＡＭ(Ferroelectric RAM)によって構成され、管理装置５０から供給された描画コマンドを格納する。また、不揮発性メモリ１７は、表示制御ＭＣＵ１６が使用するフォントデータおよびビットマップデータを格納するとともに、表示制御ＭＣＵ１６が実行するプログラム等を格納する。
【００４０】
不揮発性メモリ１７は、ホスト装置２００において各ＩＣカードの識別や認証処理に必要な使用者毎に割り当てられる固有のデータ１７ａを記憶している。
また、例えば、図５（ａ）に示すように、エリア専用のサービス情報画像Ｄ８に、択一式のクイズが表示されているときに、入力操作部１５の操作ボタン１５ａ〜１５ｃが操作された場合には、その入力操作が表示制御ＭＣＵ１６により検出される。その入力操作に対応したデータがホスト装置２００に送信する送信データ（クイズの答え）として、不揮発性メモリ１７内に設定された一時記憶部１７ｂに保存される。
【００４１】
図５（ａ）に示すように、本実施形態で入場券に表示されるクイズは、入力操作部１５において装備されている操作ボタンの数量が３つであることを考慮して、３者択一式の問題として出題されており、３つの選択候補（１）〜（３）に３つの操作ボタン１５ａ〜１５ｃに対応付けられている。
対応付けされている何れかの操作ボタン１５ａ〜１５ｃを押下すると、その入力操作に対応する送信データが一時記憶部１７ｂに記憶される。
【００４２】
ＲＦ回路１９は、ループアンテナ１９ａによって捕捉された電波を復調し、ディジタル信号を生成して、通信制御ＭＣＵ１８に供給する。ループアンテナ１９ａは、コイル形状を有しており、通信ルータ２０から送信された電波を捕捉し、ＲＦ回路１９に供給する。
【００４３】
通信制御ＭＣＵ１８は、ＲＦ回路１９から供給されるディジタル信号を解釈し、内蔵するメモリ（不図示）を書き換えたり、ディジタル信号から復元されたコマンドを表示制御ＭＣＵ１６に供給したりする。
【００４４】
表示制御ＭＣＵ１６は、通信制御ＭＣＵ１８から供給された描画コマンドを不揮発性メモリ１７に描画コマンドとして格納するとともに、コマンドを解釈し、不揮発性メモリ１７に格納されている対応するフォントデータまたはビットマップデータを取得し、内蔵されているＶＲＡＭ（Video RAM）をワークエリアとして描画処理を実行し、得られた表示データを表示制御回路１２に供給してＥＰＤパネル１１ａに表示させる処理を実行する。
【００４５】
また、通信制御ＭＣＵ１８は、ホスト装置２００とＩＣカード１０−１,１０−２との間のコネクションを確立するためのシーケンスを行う。
ホスト装置２００はＩＣカード１０−１,１０−２との間で無線通信を行う際には、まずコネクションを確立する必要がある。このため、ホスト装置２００は、ＩＣカード１０−１,１０−２に対してコネクションを要求するため接続要求信号を送信する。ホスト装置２００から受けた接続要求信号に対する応答として接続応答信号をＩＣカード１０−１,１０−２がホスト装置２００に返すことによって、ホスト装置２００は、ＩＣカード１０−１,１０−２に接続要求信号が正常に送信されたことを認識し、その後データ通信を行うことができる。
本実施形態の通信制御ＭＣＵ１８は、ホスト装置２００から接続要求信号を受信したとき、一時記憶部１７ｂに送信データが保存されていれば、その送信データを接続応答信号中の空きビットに割り付けて、接続応答信号をホスト装置２００に送信する。
例えば、ホスト装置２００から送信されるリクエストコマンドを接続要求信号とすると、ＩＣカード１０−１,１０−２は、このリクエストコマンドを正常に受信できた場合は、接続応答信号としてＡＣＫ応答信号を返す。
【００４６】
図５（ａ）に示すようなクイズに対して、カード保有者が入力操作部１５の操作ボタン１５ａを押下していたとすると、クイズの答えとして、（１）を選択したことになり、例えば、答え（１）に対応する２ビットのデータが一旦一時記憶部１７ｂに保存される。その後、ＡＣＫ応答信号をホスト装置２００に送信する際に、ＡＣＫ応答信号の空きビットに一時記憶部１７ｂ中に保存されている２ビットのデータを割り付けて送信することで、クイズの答えがホスト装置２００に送られる。
【００４７】
クイズの答えが割り付けられているＩＣカードからのＡＣＫ応答信号を受けたホスト装置２００は、その答えが正解の場合は図５（ｂ）に示すような正解の応答画像を、また、答えが不正解の場合は、図５（ｃ）に示すような残念の応答画像を、答えを送信してきたＩＣカードに送信する。
【００４８】
以上のようなクイズの応答を実現するため、ＩＣカード１０−１，１０−２では、図６に示す制御方法で、ホスト装置に対しいてデータ送信を行う。
まず、クイズ画像を含む表示データがホスト装置２００から送信されてきたら、その表示データは通信制御ＭＣＵ１８から表示制御ＭＣＵ１６に送って、図５（ａ）に示すようにクイズ画像を含む案内画像をＥＰＤパネル１１ａに表示する（ステップＳ１０１）。
【００４９】
入力操作部１５における操作ボタン１５ａ〜１５ｃの操作の有無を監視していて、何れかの操作ボタン１５ａ〜１５ｃの入力操作があると、ホスト装置２００に送る送信データの入力があったと認識し、入力操作に対応する送信データを一時記憶部１７ｂに保存する（ステップＳ１０２）。
【００５０】
無線通信中のホスト装置２００から接続要求信号の送信を待ち、接続要求信号の送信を受けたときには（ステップＳ１０３）、一時記憶部１７ｂに保存されているデータが有るか否かを確認する（ステップＳ１０４）。一時記憶部１７ｂに保存されている送信データが有る場合には、その接続要求信号に対する応答としてＡＣＫ応答信号をホスト装置２００に返すとき、一時記憶部１７ｂに保存されている送信データをＡＣＫ応答信号の空きビットに割り付ける（ステップＳ１０５）。そして、一時記憶部１７ｂの送信データが割り付けられたＡＣＫ応答信号を、ホスト装置２００に送信する（ステップＳ１０６）。
【００５１】
以上に説明した本実施の形態のＩＣカード１０−１，１０−２及びその制御方法では、ホスト装置２００に送信すべきデータとして一時記憶部１７ｂに保存した送信データは、ホスト装置２００からの表示データの無線通信時等にホスト装置２００から受信する接続要求信号に対する応答を返す際に、ＡＣＫ応答信号の空きビットに割り付けてホスト装置２００に送信される。
すなわち、ホスト装置２００へのＡＣＫ応答信号中の空きビットを使ってＩＣカードからホスト装置２００へのデータ送信を実施することができる。したがって、ホスト装置２００からのデータ読み出し指示がなくても、ＩＣカードが保持する送信データをホスト装置２００へ送信することが可能となる。また、ＩＣカードからホスト装置２００へ送信データを無線送信するために、複数の処理ステップを踏んでホスト装置２００との間に無線通信の接続を確立する必要がなくなる。
【００５２】
例えば、ＩＣカードに搭載されるハードウェア上の制限等で、本来はＩＣカード側からホスト装置２００へ無線通信の接続を新たに確立させることができないケースであっても、上記のＡＣＫ応答信号中の空きビットを利用したデータ送信ならば、新たに接続を確立させなくとも、ＩＣカード側からホスト装置２００へのデータ送信が可能になる。このため、ＩＣカード上のハードウェア上の制限を解除するハードウェアのバージョンアップをせずに、ＩＣカード側からホスト装置２００へのデータ送信を可能にすることができ、ＩＣカードにおけるデータ送信性能を安価に向上させることができる。
【００５３】
なお、本発明に係る携帯型情報処理装置において、入力操作部１５を構成する操作ボタンの数量等は、上記実施の形態に限定しない。適宜に設計変更することが可能である。
【図面の簡単な説明】
【００５４】
【図１】本実施形態のＩＣカードシステムの全体構成を示す図である。
【図２】ホスト装置との無線通信でＩＣカードに送信される表示データによってＩＣカードに表示される具体的な画像の例の説明図である。
【図３】図１に示すＩＣカードの外観を示す図である。
【図４】図１に示すＩＣカードの詳細な構成例を示すブロック図である。
【図５】（ａ）はホスト装置との無線通信でＩＣカードに表示される画像中に返答を求めるクイズ画像が組み込まれた表示画像の例であり、（ｂ）及び（ｃ）はクイズ画像に対するＩＣカードからの返答に対してホスト装置がＩＣカードに返す正解答の画像表示例である。
【図６】図１に示したＩＣカードにおいて、ホスト装置へデータを送信するときの制御方法を示すフローチャートである。
【符号の説明】
【００５５】
１０−１，１０−２：ＩＣカード、１１ａ；ＥＰＤパネル（表示部）、１５：入力操作部、１５ａ〜１５ｃ：操作ボタン、１６：表示制御ＭＣＵ、１７：不揮発性メモリ、１７ａ：固有のデータ、１７ｂ：一時記憶部、１８：通信制御ＭＣＵ（通信制御部）２００：ホスト装置、３００：ＩＣカードシステム
【図１】
2009217673.tif 000003
【図２】
2009217673.tif 000004
【図３】
2009217673.tif 000005
【図４】
2009217673.tif 000006
【図５】
2009217673.tif 000007
【図６】
2009217673.tif 000008